(57)【要約】【課題】消耗品の節約による経済性と、無駄な手間を省くことによる利便性の大幅な向上に寄与する。【解決手段】特定局として、ここからの受信画情報は全ページを即時印刷すべし、とみなす発呼局が、発呼局識別情報を用いて登録される記憶部と、受信画等を記録紙に記録する記録部と、ファクシミリ受信の都度、発呼局が登録されている特定局か否かを、前記発呼局識別情報に基づいて判定し、この判定の結果、発呼局が特定局でないときには、予め決められた、または指定されたページの受信画を、前記発呼局識別情報とともに記録部に印刷させるとともに、残余のページの受信画情報を、前記発呼局識別情報と関連付けて記憶部に蓄積させる一方、発呼局が特定局であるときには、全ページの受信画を記録部に即時印刷させるように制御する主制御部と、を備えてなることを特徴とする。【選択図】  図３
2007235629.tif 000002
【特許請求の範囲】
【請求項１】
ファクシミリ受信時に発呼局が特定局か否かを登録されている発呼局識別情報に基づいて判定する判定部と、
前記判定部が発呼局を特定局でないと判定したとき予め決められ又は指定されたページの受信画を所定の識別情報を含めて記録部に印刷させると共に残余のページの受信画情報を前記識別情報と関連付けて印刷可能とするために記憶部へ蓄積させ且つ発呼局を特定局であると判定したとき全ページの受信画を記録部に印刷させる主制御部と、
を備えたことを特徴とするファクシミリ装置。
【請求項２】
請求項１記載のファクシミリ装置であって、
前記主制御部は、前記記憶部に記憶させた残余ページを前記識別情報の検索に基づいて印刷させると共に印刷しない残余ページはユーザの選択により削除可能とし又は一定時間経過後に自動削除する
ことを特徴とするファクシミリ装置。
【請求項３】
請求項１又は２記載のファクシミリ装置であって、
前記主制御部は、前記識別情報を受信管理番号又は発呼局識別情報の少なくとも一方とする
ことを特徴とするファクシミリ装置。
【発明の詳細な説明】
【技術分野】
【０００１】
本発明は、消耗品の節約による経済性と、無駄な手間を省くことによる利便性の大幅な向上に寄与するファクシミリ装置に関する。
【背景技術】
【０００２】
従来のファクシミリ装置では、標準手順による通常のファクシミリ受信が可能なファクシミリ装置において、通常ファクシミリ受信時に、予め決められた、または指定されたページの受信画情報を記録手段によりプリントさせるとともに、残余のページの受信画情報をメモリに蓄積しておき、蓄積された画情報の出力を指示された場合に前記メモリより受信画情報を取り出し記録手段によりプリントさせるように構成することにより、実用上十分な親展性を持つ簡易な親展通信、並びに記録紙等消耗品の節約を狙った技術が知られている（特許文献１）。かかる技術により消耗品の節約による経済性を向上させること等ができる。
しかしながら、上述した従来技術にあっては、メモリに蓄積保存された受信画が必要な情報か否かを全ての受信画について実際に確認する操作、並びに、同操作によってこの受信画が必要と判断された場合にこれを取り出し印刷する操作、が煩雑で手間がかかり、利便性に難点があった。
【０００３】
【特許文献１】特開平５−１５３４１５号公報
【発明の開示】
【発明が解決しようとする課題】
【０００４】
解決しようとする問題点は、メモリに蓄積保存された受信画が必要な情報か否かを全ての受信画について実際に確認する操作、並びに、同操作によってこの受信画が必要と判断された場合にこれを取り出し印刷する操作、が煩雑で手間がかかり、利便性に難点があった点である。
【課題を解決するための手段】
【０００５】
本発明は、メモリに蓄積保存された受信画の確認及び残余ページの取り出し作業を削減するため、ファクシミリ受信時に発呼局が特定局か否かを登録されている発呼局識別情報に基づいて判定する判定部と、前記判定部が発呼局を特定局でないと判定したとき予め決められ又は指定されたページの受信画を所定の識別情報を含めて記録部に印刷させると共に残余のページの受信画情報を前記識別情報と関連付けて印刷可能とするために記憶部へ蓄積させ且つ発呼局を特定局であると判定したとき全ページの受信画を記録部に印刷させる主制御部とを備えたことを最も主要な特徴とする。
【発明の効果】
【０００６】
本発明に係るファクシミリ装置は、ファクシミリ受信時に発呼局が特定局か否かを登録されている発呼局識別情報に基づいて判定する判定部と、前記判定部が発呼局を特定局でないと判定したとき予め決められ又は指定されたページの受信画を所定の識別情報を含めて記録部に印刷させると共に残余のページの受信画情報を前記識別情報と関連付けて印刷可能とするために記憶部へ蓄積させ且つ発呼局を特定局であると判定したとき全ページの受信画を記録部に印刷させる主制御部とを備えたため、消耗品の節約による経済性と、無駄な手間を省くことによる利便性の大幅な向上に寄与することができる。
【発明を実施するための最良の形態】
【０００７】
メモリに蓄積保存された受信画の確認及び残余ページの取り出し作業を削減するという目的を、発呼局を特定局であると判定したとき全ページの受信画を記録部に印刷させることにより実現した。
【実施例】
【０００８】
［ファクシミリ装置］
図１は、実施例に係るファクシミリ装置の概略構成を示している。
【０００９】
ファクシミリ装置は、マイクロコンピュータ等から構成される主制御部１１によって制御される。この主制御部１１に接続される入出力機器として、ファクシミリ装置は、原稿画像を読み取る読取部１３、受信画像等を記録紙に記録する記録部１５、ワンタッチダイヤル、短縮ダイヤルを含むダイヤル入力操作を行うための操作部１７、プログラム、データ、画情報などの各種情報が記憶される記憶部１９、プログラマブルトーン送出及び検出機能を有するモデム２１、並びに回路網の制御を行う網制御部（ＮＣＵ）２３を備えている。
こうした入出力機器が接続された主制御部１１は、記憶部１９に蓄積された受信画情報を、識別情報である例えば受信管理番号や発呼局の電話番号やＦコードサブアドレス等の発呼局識別情報を用いて登録管理する機能と、操作部１７を用いて受信管理番号や発呼局識別情報が手入力操作されたとき、この受信管理番号や発呼局識別情報に関連付けられて記憶部１９に蓄積された受信画情報を検索し取り出す機能とを有する。
こうした機能を有する主制御部１１は、ファクシミリ受信の都度、発呼局が特定局か否かを、記憶部１９に登録されている発呼局識別情報に基づいて判定し、この判定の結果、発呼局が特定局でないときには、予め決められた、または指定されたページの受信画を、受信管理番号や発呼局識別情報とともに記録部１５に印刷させるとともに、残余のページの受信画情報を、受信管理番号や発呼局識別情報と関連付けて記憶部１９に蓄積させる一方、発呼局が特定局であるときには、全ページの受信画を記録部１５に即時印刷させるように制御する。
【００１０】
［原稿を伝送する際の手順］
図２は、上記のように構成された２つのファクシミリ装置（本発明実施例において、発呼側のファクシミリ装置を発呼局と言い、被呼側のファクシミリ装置を被呼局と言う場合がある。）間において、一例として３枚の原稿を伝送する際の手順を示す。図２において括弧付き番号はシーケンス番号を示す。
【００１１】
発呼局から被呼局にコーリングトーン（ＣＮＧ）を送出する（シーケンス番号：１１）。
【００１２】
被呼局は、コーリングトーン（ＣＮＧ）を検知すると、被呼局識別信号（ＣＥＤ）を送出するとともに（シーケンス番号：１２）、非標準機能識別信号（ＮＳＦ）、被呼局識別信号（ＣＳＩ）、並びにデジタル識別信号（ＤＩＳ）を送出する（シーケンス番号：１３）。
【００１３】
発呼局は、これらの信号を受信すると、パスワード（ＳＩＤ）、サブアドレス（ＳＵＢ）、送信局識別信号（ＴＳＩ）およびデジタル命令信号（ＤＣＳ）を送出する（シーケンス番号：１４）。サブアドレス（ＳＵＢ）は被呼局に設けられたボックス番号を指定するためのアドレスである。パスワード（ＳＩＤ）は、被呼局に設けられたボックスに対して予め設定されている。パスワードを設定しないようにすることもできる。
【００１４】
被呼局は、発呼局から送られてきたサブアドレス（ＳＵＢ）が被呼局に登録されているボックス番号のいずれかと一致するか否かを判別する。一致した場合には、発呼局から送られてきたパスワード（ＳＩＤ）がサブアドレス（ＳＵＢ）で指定されたボックスに対して登録されているパスワードと一致するか否かを判別する。
【００１５】
発呼局から送られてきたサブアドレス（ＳＵＢ）が被呼局に登録されているボックス番号のいずれかに一致し、かつ、発呼局から送られてきたパスワード（ＳＩＤ）がサブアドレス（ＳＵＢ）で指定されたボックスに対して登録されているパスワードと一致した場合には、被呼局は、ボックスへのアクセスを許可する。
【００１６】
この後、被呼局は、発呼局からのトレーニングチェック信号（ＴＣＦ）を受信すると（シーケンス番号：１５）、受信準備確認信号（ＣＦＲ）を送出する（シーケンス番号：１６）。
【００１７】
発呼局は、ＣＦＲを受信すると、原稿１枚目の画像データ（ＰＩＸ１）を送出する（シーケンス番号：１７）。被呼局は、受信した画像データを、サブアドレス（ＳＵＢ）で指定され、パスワード（ＳＩＤ）によってアクセスが許可されたボックスに格納する。
【００１８】
この後、発呼局はマルチページ信号（ＭＰＳ）を送出し（シーケンス番号：１８）、被呼局はマルチページ信号（ＭＰＳ）を受信するとメッセージ確認信号（ＭＣＦ）を送出する（シーケンス番号：１９）。
【００１９】
発呼局はメッセージ確認信号（ＭＣＦ）を受信すると、次ページ（この例では原稿２枚目）の画像データ（ＰＩＸ２）を送出する（シーケンス番号：２０）。被呼局は、受信した画像データを、サブアドレス（ＳＵＢ）で指定され、パスワード（ＳＩＤ）によってアクセスが許可されたボックスに格納する。
【００２０】
この後、発呼局はマルチページ信号（ＭＰＳ）を送出し（シーケンス番号：２１）、被呼局はマルチページ信号（ＭＰＳ）を受信するとメッセージ確認信号（ＭＣＦ）を送出する（シーケンス番号：２２）。
【００２１】
発呼局はメッセージ確認信号（ＭＣＦ）を受信すると、次ページ（この例では原稿３枚目（最終ページ））の画像データ（ＰＩＸ３）を送出した後（シーケンス番号：２３）、手順終了信号（ＥＯＰ）を送出する（シーケンス番号：２４）。
【００２２】
発呼局は手順終了信号（ＥＯＰ）を受信するとメッセージ確認信号（ＭＣＦ）を送出する（シーケンス番号：２５）。被呼局はメッセージ確認信号（ＭＣＦ）を受信すると、切断命令信号（ＤＣＮ）を送出する（シーケンス番号：２６）。これにより、回線が切断される。
【００２３】
［画情報受信時］
図３に、本発明実施例に係るファクシミリ装置の画情報受信時における動作フローチャートを示す。
【００２４】
ファクシミリ受信時において、主制御部１１は、発呼局が特定局か否かを、記憶部１９に登録されている発呼局識別情報に基づいて判定する（Ｓ１１）。従って、Ｓ１１は、本実施例において判定部を構成している。
Ｓ１１の判定の結果、発呼局が特定局でないと判定されたとき、主制御部１１は、予め決められた、または指定されたページ（本例では１ページ目）の受信画を、受信管理番号や発呼局の電話番号及び／又はＦコードサブアドレスである発呼局識別情報とともに記録部１５に印刷させるとともに、残余のページの受信画情報を、受信管理番号や発呼局識別情報と関連付けて記憶部１９に蓄積させる（Ｓ１２、Ｓ１３、Ｓ１４）。１ページ目等への受信管理番号や発呼局電話番号等の印刷は、ページ後端等に行わせる。
なお、Ｓ１２において、受信管理番号や発呼局識別情報とともに、受信年月日、時刻等の受信情報を付加印刷させてもよい。また、発呼局識別情報と、受信管理番号とを識別情報として一意に関連付けて記憶させるように構成してもよい。
【００２５】
一方、Ｓ１１の判定の結果、発呼局が特定局であると判定されたとき、主制御部１１は、全ページの受信画を記録部１５に即時印刷させる（Ｓ１５）。
【００２６】
このように、発呼局が特定局でないとき、換言すれば、広告宣伝などを内容とするいわゆるジャンクファックスを受信した蓋然性が高い場合には、予め決められた、または指定されたページ（本例では１ページ目）の受信画のみを、発呼局識別情報とともに即時に印刷させ、残余のページは後述の如く必要に応じて取り出すようにしたので、消耗品の節約による経済性の大幅な向上に寄与することができる。
【００２７】
また、発呼局が特定局であるとき、換言すれば、ジャンクファックスを受信した蓋然性がきわめて低い場合には、全ページの受信画を即時印刷させるようにしたので、無駄な手間を省くことによる利便性を大幅に向上することができる。
【００２８】
［画情報取り出し時］
図４に、本発明実施例に係るファクシミリ装置の画情報取り出し時における動作フローチャートを示す。また、図５に、本発明に係るファクシミリ装置の画情報取り出し時における操作手順を示す。
【００２９】
発呼局が特定局でない場合において、自局宛の着信があったことを知った被呼者は、Ｓ１２、Ｓ１３で受信管理番号や発呼局識別情報とともに印刷された１ページ目の受信画を見ながら、操作部１７の例えばテンキーを用いて受信管理番号や発呼局識別情報を手入力操作する（図４のＳ２１、並びに、図５のＤ１１、Ｄ１２、Ｄ１３）。
【００３０】
この入力操作を受けて主制御部１１は、入力された受信管理番号や発呼局識別情報に基づいて、この受信管理番号や発呼局識別情報に関連付けられた文書（受信画情報）を検索する（Ｓ２２）。
【００３１】
Ｓ２２の文書検索処理の結果、該当する文書がヒットしない場合（Ｓ２３，Ｎｏ）、主制御部１１は取り出し処理を終了する。
【００３２】
一方、Ｓ２２の文書検索処理の結果、該当する文書がヒットした場合、主制御部１１は、該当する受信画情報を図示しないタッチパネルに表示させ、同表示内容から操作者が受信画を印刷することが必要と判断したとき、タッチパネルの操作により記憶部１９に蓄積されている残余のページ（２ページ目以降の受信画情報）を印刷させる（図４のＳ２３、２４、並びに、図５のＤ１４）。タッチパネルの表示内容から操作者が受信画を印刷することが不必要と判断したとき、タッチパネルの操作により記憶部１９に蓄積されている残余のページを削除する。
【００３３】
なお、図５のＤ１４では、記憶部１９に蓄積されている残余のページを印刷出力したとき、該当する受信画情報を、印刷後に削除するか、そのまま記憶保持するかを選択させる構成にすることもできる。残余ページを印刷しないまま一定時間経過したとき、一定時間経過後に記憶部１９から残余のページを自動削除する構成にすることもできる。
このように、２ページ目以降の受信画情報は、被呼側で出力操作を実行しない限り印刷されないため、消耗品の節約による経済性の大幅な向上に寄与することができる。
［特定局登録時］
図６に、本発明に係るファクシミリ装置の特定局登録時における動作フローチャートを示す。また、図７に、本発明に係るファクシミリ装置の特定局登録時における操作手順を示す。
【００３４】
特定局登録モードにおいて、ユーザはファクシミリ装置のパネル上での操作やウェブ（Web）上での操作により全ページを出力させる相手先の特定局を登録する。
【００３５】
この登録操作において主制御部１１は、特定局登録のため発呼局識別情報としての電話番号が選択されたか否かを判定する（図６のＳ３１、並びに、図７のＤ２１、Ｄ２２、Ｄ２３）。Ｓ３１の判定の結果、電話番号が選択されたときには、主制御部１１は、ユーザによる電話番号の手入力操作を待ち、電話番号が入力されると（Ｓ３２）、入力された電話番号を特定局登録のための発呼局識別情報とみなして、該当する局を特定局として登録する処理を実行する（Ｓ３７）。
【００３６】
Ｓ３１の判定の結果、電話番号が選択されないときには、主制御部１１は、特定局登録のためのＦコードサブアドレスが選択されたか否かを判定する（図６のＳ３３、並びに、図７のＤ２１、Ｄ２２、Ｄ２３）。Ｓ３３の判定の結果、Ｆコードサブアドレスが選択されたときには、主制御部１１は、ユーザによるＦコードサブアドレスの手入力操作を待ち、Ｆコードサブアドレスが入力されると（Ｓ３４）、入力されたＦコードサブアドレスを特定局登録のための発呼局識別情報とみなして、該当する局を特定局として登録する処理を実行する（Ｓ３７）。
【００３７】
Ｓ３３の判定の結果、Ｆコードサブアドレスが選択されないときには、主制御部１１は、特定局登録のための発呼局を、メモリ保持原稿から選択するか否かを判定する（図６のＳ３５、並びに、図７のＤ２１、Ｄ２２、Ｄ２３）。Ｓ３５の判定の結果、メモリ保持原稿から選択しないと判定された場合、処理の流れをＳ３１に戻し、以下の処理を繰り返す。
【００３８】
一方、Ｓ３５の判定の結果、特定局登録のための発呼局をメモリ保持原稿から選択すると判定された場合、ユーザによる発呼局識別情報の手入力操作を待ち、発呼局識別情報が入力されると（図６のＳ３６、並びに、図７のＤ２４）、入力された発呼局識別情報を特定局登録の鍵情報とみなして、該当する局を特定局として登録する処理を実行する（図６のＳ３７、並びに、図７のＤ２５）。
このように発呼局識別情報（文書管理番号は実質的に同義）を特定局登録の鍵情報とし、メモリ保持原稿のなかから任意の局を選択して特定局を登録できるようにしたので、特定局登録の際におけるテンキー入力等の煩わしい手操作の手間が省け、利便性を大幅に向上することができる。
【００３９】
［その他］
本実施形態では、上述の動作フローチャート図で示した各種処理手順を、主制御部１１が所定のプログラムに従って入出力機器とデータ交換しながら実行する例をあげて説明したが、本発明はこの例に限定されることなく、主制御部１１の機能をハードウェアによって実現するように構成してもよいことは勿論である。
【００４０】
最後に、本発明は、上述した実施形態に限られるものではなく、請求の範囲及び明細書全体から読み取れる発明の要旨、あるいは技術思想に反しない範囲で適宜変更可能であり、そのような変更を伴うファクシミリ装置もまた、本発明における技術的範囲の射程に包含されるものである。
【図面の簡単な説明】
【００４１】
【図１】本発明に係るファクシミリ装置の概略構成を示すブロック図である。
【図２】本発明に係るファクシミリ装置の通信手順を示すシーケンス図である。
【図３】本発明に係るファクシミリ装置の画情報受信時における動作フローチャート図である。
【図４】本発明に係るファクシミリ装置の蓄積画情報取り出し時における動作フローチャート図である。
【図５】本発明に係るファクシミリ装置の蓄積画情報取り出し時における操作手順を示す図である。
【図６】本発明に係るファクシミリ装置の特定局登録時における動作フローチャート図である。
【図７】本発明に係るファクシミリ装置の特定局登録時における操作手順を示す図である。
【符号の説明】
【００４２】
１１  主制御部
１５  記録部
Ｓ１１  判定部
【図１】
2007235629.tif 000003
【図２】
2007235629.tif 000004
【図３】
2007235629.tif 000005
【図４】
2007235629.tif 000006
【図５】
2007235629.tif 000007
【図６】
2007235629.tif 000008
【図７】
2007235629.tif 000009